(57)【特許請求の範囲】
【請求項１】
折り用ミシン線で帳票上紙片と帳票下紙片と帳票中紙片とに区画されたシート基材の裏面全面に顕色剤層を形成した感圧複写シートからなり、前記帳票下紙片におけるシート基材裏面側に、前記帳票中紙片におけるシート基材裏面が対応するように折り用ミシン線から該帳票中紙片が折り重ねられ、この帳票中紙片におけるシート基材表面側に、前記帳票上紙片におけるシート基材裏面が対応するように折り用ミシン線から該帳票上紙片が折り重ねられた三つ折り帳票であって、
前記帳票下紙片におけるシート基材表面に事項記入欄が設けられて、該帳票下紙片におけるシート基材裏面の前記顕色剤層での前記事項記入欄と反対面となる部分に減感インキ層が設けられ、かつ、該減感インキ層の面に発色剤マイクロカプセル層が設けられて、帳票下紙片の前記発色剤マイクロカプセル層が、前記帳票中紙片におけるシート基材裏面の前記顕色剤層に対接し、
帳票中紙片におけるシート基材表面での帳票下紙片の前記事項記入欄と対応する部分に発色剤マイクロカプセル層が設けられて、帳票中紙片の前記発色剤マイクロカプセル層が、前記帳票上紙片におけるシート基材裏面の前記顕色剤層に対接していることを特徴とする三つ折り帳票。
【発明の詳細な説明】
【０００１】
【発明の属する技術分野】
本発明は感圧複写シートからなる部分的な複写機能を有する三つ折り帳票に関する。
【０００２】
【従来の技術】
従来の感圧複写シートには、通常、電子供与性の発色剤溶液をマイクロカプセル化してシート基材の裏面全面に塗布してなる感圧複写上用シート（以下、上用シートと略称す）と、これに対応してシート基材の表面全面に電子受容性の顕色剤をバインダと共に水に分散させた塗料を塗布してなる感圧複写下用シート（以下、下用シートと略称す）およびシート基材の表裏面全面にそれぞれ顕色剤と発色剤マイクロカプセルを塗布してなる複写中用シート（以下、中用シートと略称す）があり、これらは、近年、需要が増大してきた多パーツ感圧複写シート組において多用されているものである。また、従来、このような定型の感圧複写シートにおいて、部分的に複写を防止したい（もしくは部分的な複写をとりたい）場合には、一般的に、下用シートあるいは中用シートの顕色剤層に対して、複写を防止したい部分に発色を阻害する減感インキ層を施すものであった。
【０００３】
一方、最近、顕色剤や発色剤マイクロカプセルを含有した特殊な印刷インキが実用化されるに至り、この印刷インキを通常紙からなるシート基材面の所望部分に直接塗布して顕色剤層を設けてなる、部分複写の感圧複写シートが得られるようになった。この感圧複写シートに対し、折込線、切取線、粘着剤塗布加工、あるいは別体のシート、フィルムの貼付など様々な加工が施され、さらに当該シートを折り込み、あるいは切り重ねると、部分的な複写機能を有する帳票、封筒、葉書等が構成されるものである。
【０００４】
【発明が解決しようとする課題】
しかしながら、前者の定型の感圧複写シートを利用した部分複写の感圧複写シートにあっては、減感インキ層に対応する発色剤マイクロカプセル層は全く利用されずに無駄になり、例えば、複写防止部分の面積が大きい場合には、コスト面の問題が生じる。また、発色剤マイクロカプセル層がシート面全面に施されているため擦れ汚れが発生し易かったり、あるいは、発色剤マイクロカプセル層面への印刷適性が非常に悪いものであったりする。したがって、このような定型の感圧複写シートから複雑な構成の折り込み、切り重ね帳票、封筒、葉書等への加工適性は非常に悪いものであった。
【０００５】
一方、顕色剤インキや発色剤マイクロカプセルインキ等の特殊印刷インキを塗布して得られた部分複写の感圧複写シートにおいては、任意の複写部分を設定できるため、定型のものにおけるような問題は生じ難い。しかしながら、現在開発されている顕色剤インキは、その塗布・乾燥工程に特殊な装置が必要であって生産性が悪く、また、主にそれが水性インキであるため、部分的な塗布によってスポット的にシワが生じるという不都合があった。また、得られた顕色剤層が、定型の感圧複写シートにおける顕色剤層に比して発色濃度、発色速度、経時劣化等の発色性能の点で劣るといった問題もあった。
【０００６】
したがって、本発明においては、生産性、加工適性、コスト面に優れ、擦れ汚れや発色能力などの問題を解消し、さらに、発色剤マイクロカプセル含有インキの顕色剤層内への浸透を防止し、かつ複写記入時に、印字等の押圧による自己発色（裏面写り）を防止する感圧複写シートからなる三つ折り帳票の提供を課題とする。
【０００７】
【課題を解決するための手段】
この課題を達成するため、本発明者らは、シート基材面に顕色剤層を施した感圧複写シート、例えば、定型の下用シートの顕色剤層の所定部に、当該シートを用いて作成する折り込み帳票の構成に応じて、減感インキ層を介して部分発色剤マイクロカプセルインキ層を設けてなる感圧複写シートを想到したものである。
すなわち、本発明は、折り用ミシン線で帳票上紙片と帳票下紙片と帳票中紙片とに区画されたシート基材の裏面全面に顕色剤層を形成した感圧複写シートからなり、前記帳票下紙片におけるシート基材裏面側に、前記帳票中紙片におけるシート基材裏面が対応するように折り用ミシン線から該帳票中紙片が折り重ねられ、この帳票中紙片におけるシート基材表面側に、前記帳票上紙片におけるシート基材裏面が対応するように折り用ミシン線から該帳票上紙片が折り重ねられた三つ折り帳票であって、前記帳票下紙片におけるシート基材表面に事項記入欄が設けられて、該帳票下紙片におけるシート基材裏面の前記顕色剤層での前記事項記入欄と反対面となる部分に減感インキ層が設けられ、かつ、該減感インキ層の面に発色剤マイクロカプセル層が設けられて、帳票下紙片の前記発色剤マイクロカプセル層が、前記帳票中紙片におけるシート基材裏面の前記顕色剤層に対接し、帳票中紙片におけるシート基材表面での帳票下紙片の前記事項記入欄と対応する部分に発色剤マイクロカプセル層が設けられて、帳票中紙片の前記発色剤マイクロカプセル層が、前記帳票上紙片におけるシート基材裏面の前記顕色剤層に対接していることを特徴とする三つ折り帳票である。
【０００８】
図１に基づいて感圧複写シート１の基本的な構成を説明すると、シート基材２上面３に顕色剤層Ｄを施してなる感圧複写シートであって、当該顕色剤層Ｄの表面４の所定部に減感インキ層Ｂが設けられ、かつ、当該減感インキ層Ｂの表面５に発色剤マイクロカプセルインキ層Ｃが設けられてなるものである。
【０００９】
シート基材２の表面３に顕色剤層Ｄを施してなる感圧複写シートは、専用の塗布機を用いて基材シート全面に顕色剤層を施したものがよく、例えばこの感圧複写シートをもって構成される折り込み帳票の材質、紙厚、坪量等によって、厚紙、合成紙、合成樹脂フィルム等から所定のシート基材を選択し、定型の下用シートにおけるのと同様に、従来から公知のフェノール樹脂、酸性白土、ベントナイト等の顕色剤をバインダと共に水に分散させた塗料をシート基材の全面もしくは略全面に塗布してなるものが好適である。なお、実際の製造においては、生産性、発色性能、コスト面等の点で、定型の下用シートを用いるのが最も好ましい。
【００１０】
また、減感インキ層Ｂを構成する減感インキについても何ら限定はなく、従来から公知の陽イオン界面活性剤、ポリオール、アミン類等の減感剤をアルコール可溶性樹脂をアルコール溶剤に溶かしたビヒクル中に、チタン白、硫酸バリウム等の顔料と共に分散させてなるものでよい。そして、この減感インキ層Ｂは、後述の発色剤マイクロカプセル層Ｃの印刷形成時に発色剤マイクロカプセル含有インキの顕色剤層Ｄ内への浸透を防止し、かつ複写記入時に、印字等の押圧による自己発色（裏面写り）を防止するといったバリア層の機能を有するものである。したがって、バリア機能が損なわれないよう、当該減感インキ層は発色剤マイクロカプセル層よりも若干大きめの面積で設けるのが好ましい。
【００１１】
発色剤マイクロカプセル層Ｃを構成する発色剤マイクロカプセルインキは、印刷インキのビヒクル中に発色剤マイクロカプセルが分散されてなるものであればよく、特に限定はない。しかしながら、最も好ましくは、本発明者らが開発したマイクロカプセル含有油性インキの製造技術（特開平７−２１６２７３号）によるものがよい。これは、水系で生成された発色剤マイクロカプセル溶液に低級アルコール等の親油基と親水基を有する物質を加え、所定の条件下で真空脱水法を利用し、分散状態のまま油系に置換させ得たもので、カプセルの分散性が良く、凝集による２次粒子の存在率が極めて低く、印刷適性、発色性能に優れる。
【００１２】
【発明の実施の形態】
次に、図２から図５に基づき、本発明の感圧複写シートからなる三つ折り帳票を不在者連絡票１１とした構成で説明する。この不在者連絡票１１は、図２ないし図４に示すように、シート基材１２の裏面全面に顕色剤層Ｄが施されてなり、折り用ミシン線Ｍ１、Ｍ２によって、Ａ１（帳票上紙片）、Ａ２（帳票下紙片）、Ａ３（帳票中紙片）の３つの領域に区画され、領域Ａ２裏面の顕色剤層Ｄ面の所定部（２カ所）に減感インキ層Ｂと、その減感インキ層Ｂ面に発色剤マイクロカプセル層Ｃがそれぞれ設けられている。図５に示すように、前記領域Ａ２（帳票下紙片）におけるシート基材１２裏面側に、前記領域Ａ３（帳票中紙片）におけるシート基材１２裏面が対応するように折り用ミシン線Ｍ２から領域Ａ３（帳票中紙片）が折り重ねられ、この領域Ａ３（帳票中紙片）におけるシート基材１２表面側に、前記領域Ａ１（帳票上紙片）におけるシート基材１２裏面が対応するように折り用ミシン線Ｍ１から該領域Ａ１（帳票上紙片）が折り重ねられている。そして、領域Ａ２（帳票下紙片）の前記発色剤マイクロカプセル層Ｃが、前記領域Ａ３（帳票中紙片）におけるシート基材１２裏面の前記顕色剤層Ｄに対接している。
領域Ａ３（帳票中紙片）のシート基材１２表面にも発色剤マイクロカプセル層Ｃが施されており、さらにＡ１（帳票上紙片）、Ａ２（帳票下紙片）、Ａ３（帳票中紙片）の各領域の表裏面には、配達日時、配達品名、配達員名等の連絡事項を記入や複写記入するための欄の連絡事項記入欄８や連絡事項複写欄６、７および表題、バーコード、注意事項等の一般情報９が印刷形成されているものである。
【００１３】
この不在者連絡票１１は、図５に示すように、折り用ミシン線Ｍ１、Ｍ２により領域Ａ３が中位に位置するように折り込まれていて、領域Ａ２（帳票下紙片）のシート基材１２表面（外部表出面）の連絡事項記入欄８に連絡事項を記入すると、その反対面のＡ２の顕色剤層Ｄ面に減感インキ層を介して設けられた発色剤マイクロカプセル層Ｃによって、これに対接する領域Ａ３（帳票中紙片）の顕色剤Ｄ面の連絡事項複写欄６に当該連絡事項が複写される。また、図示されているように、領域Ａ３（帳票中紙片）のシート基材１２表面の発色剤マイクロカプセル層Ｃが、前記連絡事項記入欄８に対応した部分にある。よって、同時に、領域Ａ１（帳票上紙片）の顕色剤Ｄ面の連絡事項複写欄７にも、これに対接する領域Ａ３（帳票中紙片）のシート基材１２表面の前記発色剤マイクロカプセル層Ｃによって、当該連絡事項が複写されるものである。
【００１４】
なお、この不在者連絡票１１は、実際の製造においては、所定幅の定型のロール状下用シートを用いるため、一連の生産ラインにおいて、通常のオフセット印刷機を用い、一般印刷、減感インキ印刷、発色剤マイクロカプセルインキ印刷を一括して行え、また、ミシン加工あるいは必要に応じて糊加工等ができることにより、生産性が非常によいものである。
【００１５】
【発明の効果】
このように、本発明によれば、部分的に複写機能を有する三つ折り帳票として好適に利用でき、その生産性、加工適性、コスト面に優れ、さらに、必要最小限度で発色剤マイクロカプセル層を設けるため擦れ汚れを低減できると共に、従来の下用シートの顕色剤層を利用するため発色能力に問題が生じず、さらに、顕色剤層と発色剤マイクロカプセル層との間に減感インキ層が設けられているため、発色剤マイクロカプセル含有インキの顕色剤層内への浸透を防止し、かつ複写記入時に、印字等の押圧による自己発色（裏面写り）を防止するといった効果を奏するものである。
【図面の簡単な説明】
【図１】  感圧複写シートの基本構成の概略的な断面説明図。
【図２】  本発明に係る感圧複写シートからなる三つ折り帳票の説明図。
【図３】  同じく説明図。
【図４】  図３のＸ−Ｘ線断面図。
【図５】  本発明に係る感圧複写シートからなる三つ折り帳票の概略的断面図。
【符号の説明】
１  感圧複写シート
２、１２  シート基材
３  シート基材表面
Ｄ  顕色剤層
４  顕色剤層表面
Ｂ  減感インキ層
５  減感インキ層表面
Ｃ  発色剤マイクロカプセル層
１１  不在者連絡票
Ａ１、Ａ２、Ａ３  区画領域
Ｍ１、Ｍ２  折り込みミシン線
【図１】
0003834682.tif 000002
【図２】
0003834682.tif 000003
【図３】
0003834682.tif 000004
【図４】
0003834682.tif 000005
【図５】
0003834682.tif 000006